(57)【要約】【課題】長期に亘ってタガが脱落することのない木桶を提案すること。【解決手段】木桶１は、短冊状板材を輪状に突き合わせて構成した筒状胴部２と、この底側に取り付けた、板材を平面状に突き合わせて構成した円盤状の底部３と、筒状胴部２を外側から締め付けている二条のタガ４、５とを有している。タガ４、５は、それぞれ二重巻きしたコイルスプリング１０からなり、筒状胴部２に形成したタガ装着溝６、７に、押し広げられた状態で装着されている。木桶１の使用時において、タガ４、５はその弾性変形により、木製の筒状胴部２の膨張収縮に追従でき、常に所定の締め付け力で筒状胴部２を締め付けている。よって、長期に亘ってタガの脱落を防止可能な木桶を実現できる。【選択図】図１
2011098477.tif 000002
【特許請求の範囲】
【請求項１】
複数枚の短冊状の側板（２１）を突き合わせて構成された筒状胴部（２）と、
前記筒状胴部（２）における底側開口縁の近傍位置において、当該筒状胴部（２）の底側開口を封鎖しており、複数枚の底板（３１）を突き合わせて構成された底部（３）と、
前記筒状胴部（２）を、その外側から締め付けているタガ（４、５）とを有し、
前記筒状胴部（２）の外周面には、一定幅および一定深さの円環状のタガ装着溝（６、７）が形成されており、
前記タガ（４、５）は、ループ状に複数回巻かれた線状スプリング（１０、１１）であり、前記タガ装着溝（６、７）に装着されていることを特徴とする木桶（１）。
【請求項２】
請求項１において、
前記線状スプリング（１０、１１）のループ内周面の輪郭形状は、前記タガ装着溝（６、７）の底部の輪郭形状よりも小さく、
前記線状スプリング（１０、１１）は、半径方向に押し広げられた状態で前記タガ装着溝（６、７）に装着されていることを特徴とする木桶（１）。
【請求項３】
請求項２において、
前記筒状胴部（２）は円筒状あるいは円錘台状の胴部であり、
前記底部（３）は円盤状底部であり、
前記線状スプリング（１０、１１）は螺旋状に複数巻きされたコイルスプリングであることを特徴とする木桶（１）。
【発明の詳細な説明】
【技術分野】
【０００１】
本発明は、寿司桶、岡持桶、片手桶、湯豆腐桶、半切桶、小判形桶、たらい、おひつ等の木桶に関し、特に、木桶のタガ締め構造に関する。
【背景技術】
【０００２】
従来の寿司桶等のような浅底型の木桶は、特許文献１、２に開示されているように、タガ締めされた側板組みと底板とから構成されている。タガ締めされた側板組みは、多数枚の短冊状側板の側端面を突き合わせて筒状胴部としたものである。筒状胴部の下部側にはタガ（金輪、締め輪）が嵌め込まれ、外から圧迫して木殺し状態とされている。筒状胴部の底側開口部は、当該筒状胴部の底側の部位に取り付けた底部によって封鎖されている。底部も、数枚の板を寄せ木組みして円盤状に切り落とした構成となっている。
【０００３】
ここで、木桶は、湿度の高い場所あるいは湿潤状態に放置されると湿気を吸収して含水率が高くなり、それに伴って膨張する。逆に乾燥すると、湿気を放出して収縮する。木桶は、洗浄および乾燥が繰り返され、それに伴って膨張収縮する。しかしながら、側板組みからなる筒状胴部を締め付けているタガは一般に銅板、竹などが使用され、木材に比べて膨張収縮率が小さい。このため、木桶が湿潤状態から乾燥して収縮すると、タガに弛みができ、タガが外れるおそれがある。
【０００４】
特許文献２においては、タガを嵌め込む溝断面を湾曲状として、側板組みからなる胴部の外周面とタガの密着面積を増加させて、タガが脱落しにくいようにしている。
【先行技術文献】
【特許文献】
【０００５】
【特許文献１】特開平８−２０５９８０号公報
【特許文献２】特開２００２−２８３３０３号公報
【発明の概要】
【発明が解決しようとする課題】
【０００６】
しかしながら、従来の木桶においては、繰り返し使用するうちに、タガに弛みが生ずることを防止することができず、タガの脱落を長期に亘って確実に防止することが困難である。
【０００７】
本発明の課題は、この点に鑑みて、タガの脱落を長期に亘って確実に防止できるようにした木桶を提案することにある。
【課題を解決するための手段】
【０００８】
上記の課題を解決するために、本発明の木桶は、
複数枚の短冊状の側板を突き合わせて構成された筒状胴部と、
前記筒状胴部における底側開口縁の近傍位置において、当該筒状胴部の底側開口を封鎖しており、複数枚の底板を突き合わせて構成された底部と、
前記筒状胴部を、その外側から締め付けているタガとを有し、
前記筒状胴部の外周面には、一定幅および一定深さの円環状のタガ装着溝が形成されており、
前記タガは、ループ状に複数回巻かれた線状スプリングであり、前記タガ装着溝に装着されていることを特徴としている。
【０００９】
本発明の木桶では、筒状胴部に対応する輪郭形状となるようにループ状に巻かれた線状スプリングをタガとして用い、これを、筒状胴部の外周面に形成したタガ装着溝に装着している。線状スプリングは、板材からなる筒状胴部の膨張収縮に追従して、弾性変形して膨張及び収縮する。したがって、常に所定の弾性力によって筒状胴部を締め付けた状態を維持できる。よって、長期に亘ってタガの脱落を確実に防止できる。
【００１０】
ここで、前記線状スプリングのループ内周面の輪郭形状を、前記タガ装着溝の底部の輪郭形状よりも小さくし、前記線状スプリングを、半径方向に押し広げられた状態で前記タガ装着溝に装着しておくことが望ましい。
【００１１】
このように、線状スプリングを予め弾性変形させ、それによって生ずる弾性復帰力を予圧力として利用することにより、線状スプリングが筒状胴部から脱落することを確実に防止できるので好ましい。
【００１２】
一般的な木桶は、前記筒状胴部が円筒状あるいは円錘台状の胴部であり、前記底部が円盤状底部である。この場合には、前記線状スプリングとしてラセン状に複数巻きされたコイルスプリングを用いればよい。コイルスプリングは一般的に入手できるので、廉価に、タガの脱落を防止可能な木桶を製造できるという利点もある。
【発明の効果】
【００１３】
本発明の木桶では、複数巻きした線状スプリングをタガとして用いると共に、筒状胴部の外周面に形成した円環状のタガ装着溝に線状スプリングを装着している。この構成によれば、線状スプリングからなるタガは、その弾性変形によって板材からなる筒状胴部の膨張収縮に追従でき、常に筒状胴部を所定の締め付け状態に保持できる。よって、長期に亘ってタガの脱落を防止できる木桶を実現できる。
【図面の簡単な説明】
【００１４】
【図１】（ａ）は本発明を適用した木桶の斜視図であり、（ｂ）はタガの斜視図である。
【図２】図１の木桶の縦断面図である。
【図３】図２の木桶の各部を分解した状態で示す縦断面図である。
【発明を実施するための形態】
【００１５】
以下に、図面を参照して、本発明を適用した木桶の実施の形態を説明する。
【００１６】
図１〜３を参照して説明すると、本発明の実施の形態に係る木桶１は、板材を輪状に寄せ木組みした構成の偏平な円錘台状の筒状胴部２と、板材を突き合わせて構成した円盤状の底部３と、筒状胴部２を外側から締め付けている二条のタガ４、５とを有している。
【００１７】
胴部２は、多数枚の短冊状の側板２１の側端面を突き合わせて接着剤等で輪状に寄せ木組みした後、その下部側に二条のタガ４、５を嵌め込み、外から圧迫して木殺し状態としたものである。筒状胴部２におけるタガ４、５の装着部には、一定幅および一定深さの浅い矩形断面の円環状のタガ装着溝６、７がそれぞれ形成されている。また、筒状胴部２の内周面における底側開口縁に近い部位には、円環状の浅い矩形断面の底板嵌め込み溝８が形成されている。底部３は、複数枚の長方形の板材３１を平面方向に突き合わせて、円盤状に切り取った構成のものであり、底板嵌め込み溝８に嵌め込み固定されて、筒状胴部２の底側開口を封鎖している。
【００１８】
図１（ｂ）および図３から分かるように、タガ４、５は、それぞれ、螺旋状に複数巻き、例えば、二重巻きされたコイルスプリング１０、１１から形成されている。コイルスプリング１０、１１の一端１０ａ、１１ａに、その他端１０ｂ、１１ｂが一致するように、同一径で、隣接する部分が接触した状態となるように螺旋状に巻かれている。コイルスプリング１０、１１が装着されるタガ装着溝６、７は、二重巻きされたコイルスプリング１０、１１の幅に対応する幅寸法のものであり、その深さは、コイルスプリング１０、１１の径に対応する寸法となっている。
【００１９】
ここで、コイルスプリング１０の内径寸法Ｌ（１０）は、タガ装着溝６の溝底面の外径寸法Ｌ（６）よりも小さい。同様に、コイルスプリング１１の内径寸法Ｌ（１１）は、タガ装着溝７の溝底面の外径寸法Ｌ（７）よりも小さい。外径寸法Ｌ（６）、Ｌ（７）の差が僅かである場合には、双方のコイルスプリングの内径を小さい側に統一しておくことも可能である。
【００２０】
したがって、タガ４、５は半径方向の外側に押し広げた状態でタガ装着溝６、７にそれぞれ装着される。また、コイルスプリング１０、１１は、装着状態においても、半径方向の外方に僅かに押し広げられた状態となっており、円周方向に移動可能となっている。したがって、内側に押し縮まろうとする弾性復帰力が常に筒状胴部２に作用し、確実に胴部２が外側から締め付けられた状態が形成される。
【００２１】
この構成の木桶１では、使用に伴って木製の筒状胴部２が膨張収縮した場合に、コイルスプリング１０、１１からなるタガ４、５が弾性変形してそれに追従し、常に所定の締め付け力で胴部２が締め付けられた状態に保持される。また、長期使用によって筒状胴部２が全体として収縮した場合においても、タガ４、５は予め押し広げられた状態で装着されているので、所定の締め付け力によって筒状胴部２を締め付けた状態が維持される。この結果、長期に亘ってタガ４、５が脱落することがない。
【００２２】
（その他の実施の形態）
上記の例は一般的な円筒状あるいは円錘台状の木桶に関するものであるが、本発明は、楕円形などの異なる輪郭形状の筒状胴部を備えた木桶に対しても同様に適用できる。この場合には、筒状胴部の輪郭形状に対応した形状となるようにコイルスプリングをループ状に複数巻きしてタガを形成すればよい。
【符号の説明】
【００２３】
１    木桶
２    筒状胴部
３    底部
４、５  タガ
６、７  タガ装着溝
１０、１１  コイルスプリング
１０ａ、１０ｂ、１１ａ、１１ｂ  端
２１  側板
３１  板材
【図１】
2011098477.tif 000003
【図２】
2011098477.tif 000004
【図３】
2011098477.tif 000005